(57)【要約】【課題】天板を構成する化粧板、支持部が接着剤を使用することなく互いに固定されているため、化粧板を再利用することができ、交換費用、廃棄費用を低減することができる実験台の提供及び実験台における化粧板の再利用を簡単に行うことができる実験台の化粧板の組付け方法を提供する。【解決手段】実験台の化粧板２４を、ボルト２１，３３の締結を解除して枠材２６，芯材２９，ベース板２２から取外す。化粧板２４の裏面と反対側の表面において、雌ネジ２８，３２が設けられた部位と対応する部分に対して、雌ネジ２８，３２にボルト２１，３３が螺入可能に孔２４ｄ，２４ｅを穿つ。化粧板２４を反転した状態で枠材２６，芯材２９，ベース板２２から挿通したボルト２１，３３を孔２４ｄ，２４ｅを介して雌ネジ２８，３２に螺合することにより枠材２６，芯材２９，ベース板２２に取付けする。【選択図】図６
2011031118.tif 000002
【特許請求の範囲】
【請求項１】
天板が、化粧板と、前記化粧板を支える支持部とを備え、前記化粧板に雌ネジ部が設けられて前記支持部から突出された複数の雄ネジにより取り外し可能に螺合されて、前記化粧板が前記支持部に対して取り外し可能に取付けされていることを特徴とする実験台。
【請求項２】
前記支持部は、前記化粧板と平行に配置されたベース板と、前記化粧板と前記ベース板間に介在する中間部材を含み、
前記中間部材から前記雄ネジの先端が突出されて、前記化粧板に螺合されていることを特徴とする請求項１に記載の実験台。
【請求項３】
前記中間部材が、前記ベース板に対して締結手段により取外し可能に取着され、前記雄ネジが前記中間部材に対して貫通されていることを特徴とする請求項２に記載の実験台。
【請求項４】
請求項１に記載の実験台の化粧板を、前記雄ネジの前記雌ネジ部に対する締結を解除することにより前記支持部から取外し、
前記化粧板の前記雌ネジ部が設けられた裏面と反対側の表面において、前記雌ネジ部が設けられた部位と対応する部分に対して、前記雌ネジ部に前記雄ネジが螺入可能に孔を穿ち、
前記化粧板を、前記裏面であった面を反転した状態で前記支持部から突出した前記雄ネジを前記孔を介して前記雌ネジ部に螺合することにより前記支持部に取付けする実験台の化粧板の組付け方法。
【請求項５】
請求項２に記載の実験台の化粧板を、前記雄ネジの前記雌ネジ部に対する締結を解除することにより前記支持部から取外し、
前記化粧板の前記雌ネジ部が設けられた裏面と反対側の表面において、前記雌ネジ部が設けられた部位と対応する部分に対して、前記雌ネジ部に前記雄ネジが螺入可能に孔を穿ち、
前記化粧板を、前記支持部を構成する中間部材を介して前記雄ネジを前記孔を介して前記雌ネジ部に螺合することにより、前記中間部材を化粧板に取付けし、この後、前記中間部材を、前記ベース板に締結手段により取付けすることを特徴とする実験台の化粧板の組付け方法。
【請求項６】
反転して支持部に組み付けられた化粧板に対し、前記雌ネジ部の露出部位を覆い隠すためにコーキングを施すことを特徴とする請求項５に記載の実験台の化粧板の組付け方法。
【発明の詳細な説明】
【技術分野】
【０００１】
本発明は化粧板が交換可能な実験台、及び実験台の化粧板の組付け方法に関する。
【背景技術】
【０００２】
研究機関、試験所、学校施設等で使用される実験台は、物理的な試験、或いは化学的な実験が行われるため、その上面に設けられている化粧板は、薬品等に侵されたり、試験器具、実験器具等により傷が付きやすい。従来から化粧板は、メラミン樹脂等からなり、支持部に対して接着剤により接着固定されていた。前述のように、化粧板の表面が薬品に侵されたり、傷が付くと、化粧板を交換する必要が生じるが、従来は化粧板は接着剤で固定されているため、化粧板のみの交換はできず、実験台自体を新しい実験台と交換するようにしていた。このため交換費用にコストが係る問題があった。なお、本明細書で実験台は、作業を行う台である作業台も含む趣旨である。
【０００３】
この問題に対して、特許文献１では、化粧板を支持部材に固定する手段を、接着剤を使用しない構成にすることにより、化粧板のみを交換する技術が提案されている。特許文献１の実験台は、裏面に係合孔を備えた化粧板と、係合頭部と支持軸よりなる突起部材を上面に有する支持部材とを備えている。そして、係合孔は、前記突起部材の係合頭部を受容する受容孔と該受容孔に連通したスライド用溝とを有し、前記支持部材側の係合頭部が化粧板の裏面のスライド用溝内に嵌り込んで係合されて、化粧板が支持部材の上面側に着脱自在に固定されている。この構成によれば、化粧板を交換する際には、該化粧板をスライド用溝から組付け時とは反対方向にスライドさせて支持部材側の係合頭部から受容孔を抜け出させると、化粧板が支持部材から取外されて、交換用の化粧板と取替できるようになる。
【先行技術文献】
【特許文献】
【０００４】
【特許文献１】特開２００４−１２１９１３号公報
【発明の概要】
【発明が解決しようとする課題】
【０００５】
ところが、上記特許文献１の実験台では、古い化粧板の代わりに新しい化粧板を用意する必要があり、新しい化粧板を用意する分、交換費用がコスト高となる問題があり、又、古い化粧板を廃棄する費用も発生する。
【０００６】
本発明の目的は、上記問題点を解消するためになされたものであり、支持部に化粧板を固定する際に接着剤を使用しないですみ、天板を構成する化粧板、支持部が接着剤を使用することなく互いに固定されているため、化粧板を再利用することができ、交換費用、廃棄費用を低減することができる実験台を提供することにある。
【０００７】
又、本発明の他の目的は、上記の実験台における化粧板の再利用を簡単に行うことができる実験台の化粧板の組付け方法を提供することにある。
【課題を解決するための手段】
【０００８】
上記問題点を解決するために、請求項１に記載の発明は、天板が、化粧板と、前記化粧板を支える支持部とを備え、前記化粧板に雌ネジ部が設けられて前記支持部から突出された複数の雄ネジにより取り外し可能に螺合されて、前記化粧板が前記支持部に対して取り外し可能に取付けされていることを特徴とする実験台を要旨とするものである。
【０００９】
請求項２の発明は、請求項１において、前記支持部は、前記化粧板と平行に配置されたベース板と、前記化粧板と前記ベース板間に介在する中間部材を含み、前記中間部材から前記雄ネジの先端が突出されて、前記化粧板に螺合されていることを特徴とする。
【００１０】
請求項３の発明は、請求項２において、前記中間部材が、前記ベース板に対して締結手段により取外し可能に取着され、前記雄ネジが前記中間部材に対して貫通されていることを特徴とする。
【００１１】
請求項４の発明は、請求項１に記載の実験台の化粧板を、前記雄ネジの前記雌ネジ部に対する締結を解除することにより前記支持部から取外し、前記化粧板の前記雌ネジ部が設けられた裏面と反対側の表面において、前記雌ネジ部が設けられた部位と対応する部分に対して、前記雌ネジ部に前記雄ネジが螺入可能に孔を穿ち、前記化粧板を、前記裏面であった面を反転した状態で前記支持部から突出した前記雄ネジを前記孔を介して前記雌ネジ部に螺合することにより前記支持部に取付けする実験台の化粧板の組付け方法を要旨とするものである。
【００１２】
請求項５の発明は、請求項２に記載の実験台の化粧板を、前記雄ネジの前記雌ネジ部に対する締結を解除することにより前記支持部から取外し、前記化粧板の前記雌ネジ部が設けられた裏面と反対側の表面において、前記雌ネジ部が設けられた部位と対応する部分に対して、前記雌ネジ部に前記雄ネジが螺入可能に孔を穿ち、前記化粧板を、前記支持部を構成する中間部材を介して前記雄ネジを前記孔を介して前記雌ネジ部に螺合することにより、前記中間部材を化粧板に取付けし、この後、前記中間部材を、前記ベース板に締結手段により取付けすることを特徴とする実験台の化粧板の組付け方法を要旨とするものである。
【００１３】
請求項６の発明は、請求項５において、反転して支持部に組み付けられた化粧板に対し、前記雌ネジ部の露出部位を覆い隠すためにコーキングを施すことを特徴とする。
【発明の効果】
【００１４】
請求項１乃至請求項３の発明によれば、天板を構成する化粧板、支持部が接着剤を使用することなく互いに固定されているため、化粧板を再利用することができ、交換費用、廃棄費用を低減することができる。
【００１５】
請求項２の発明によれば、中間部材と、化粧板とを締結している雄ネジの化粧板に対する締結を解除することにより、化粧板を中間部材（支持部）から取外すことができ、該取外した化粧板の裏面を反転することにより、該裏面を表にすることにより実験台の化粧板を再利用できる。
【００１６】
請求項３の発明によれば、中間部材をベース板に締結している締結手段の締結を解除して、該中間部材をベース板から外した後、該中間部材と化粧板を締結している雄ネジを化粧板から外し、化粧板の裏面を表にすることにより、実験台の化粧板を再利用できる。
【００１７】
請求項４乃至請求項６の発明によれば、実験台における化粧板の再利用を簡単に行うことができる。
請求項５の発明によれば、支持部が、ベース板と、該ベース板と化粧板の間に介在する中間部材とを含む場合の実験台において、化粧板の再利用を簡単に行うことができる。
【００１８】
請求項６の発明によれば、孔に対してコーキングを施して、該孔を塞ぐことにより、化粧板を反転した後における上側の表面を支障なく実験台の作業面として使用することができる。
【図面の簡単な説明】
【００１９】
【図１】本発明を具体化した第１実施形態の実験台の斜視図。
【図２】同じく第１実施形態の天板の要部断面図。
【図３】同じく第１実施形態の実験台の要部断面図。
【図４】化粧板を裏面から見た斜視図。
【図５】（ａ）、（ｂ）は、化粧板の加工手順を示す説明図。
【図６】化粧板を再使用した時の天板の要部断面図。
【図７】第２実施形態の図２の相当図。
【図８】第３実施形態の図２の相当図。
【図９】第４実施形態の図２の相当図。
【図１０】第４実施形態の図６の相当図。
【図１１】（ａ）は第４実施形態の実験台の枠体の斜視図、（ｂ）は当て板の斜視図、（ｃ）は、枠体に当て板を組立てた組立体の斜視図、（ｄ）は化粧板の斜視図。
【図１２】（ａ）は、化粧板に対して六角支柱を立てた状態の斜視図、（ｂ）は化粧板と組立体とを組立てた状態の斜視図、（ｃ）は組立体にベース板を組み付け、下側から見た斜視図、（ｄ）は、同じくベース板を組み付けた状態を上側から見た斜視図。
【発明を実施するための形態】
【００２０】
（第１実施形態）
以下、本発明を具体化した第１実施形態の実験台を図１〜６を参照して説明する。
図１に示すように、実験台１０は、脚部１２を有する支持台１４上に天板２０が取付けされている。脚部１２間には、側板１６及び幕板１８が取付けされている。
【００２１】
図２に示すように天板２０は、前記脚部１２の上部に取付け固定された平面視して長方形をなす平板状のベース板２２と、ベース板２２に対して着脱自在に取付け固定されて、ベース板２２に対して平行に配置された同じく平板状の化粧板２４（図４参照）とを備えている。ベース板２２と化粧板２４とは同一の長さ、及び同一の幅を有している。化粧板２４は、メラミン樹脂等の熱硬化性合成樹脂からなり、表裏面の略全体が後述する窪み２８ｂ，３２ｂを除いて平面に形成されている。なお、化粧板２４の材質は限定されるものではない。
【００２２】
図４に示すように、化粧板２４の裏面（下面）の周縁には、複数の角材からなる枠材２６が環状に配置されて固定されている。枠材２６は、上下方向に貫通された段付孔２５を複数個所定間隔をおいて形成されており、該段付孔２５にボルト２７が下面から挿通されて化粧板２４の裏面（下面）にそれぞれ埋設した複数の雌ネジ２８にそれぞれ取り外し可能に螺合されることにより化粧板２４に取付け固定されている。雌ネジ２８は、ネジ孔が上下に貫通された樹脂製、或いは金属製のナットにより構成されている。なお、前記雌ネジ２８の埋設位置は、雌ネジ２８の下面が、化粧板２４の下面よりも化粧板２４の内部に位置する。すなわち、雌ネジ２８を埋設するための穴２８ａの深さが雌ネジ２８の軸心方向の厚みよりも深くされていることにより、化粧板２４の下面には、窪み２８ｂを有する。又、雌ネジ２８の埋設位置は、化粧板２４を裏面を表側に反転した際に、枠材２６に設けられた段付孔２５と相対するように配置されている。すなわち、各雌ネジ２８は、化粧板２４の長手方向及び幅方向の中央線Ｌ１，Ｌ２の、少なくともいずれかの線を中心軸として線対称の位置に設けられている。
【００２３】
枠材２６は、ベース板２２の下面から挿通されたボルト２１により、取り外し可能に取付けされている。ボルト２１は、締結手段に相当する。
又、図２、図４に示すように、化粧板２４の裏面（下面）には、角材状をなす複数の芯材２９が化粧板２４の長手方向に亘って互いに間隔を置いて並列的に取付け固定されている。すなわち、芯材２９は、化粧板２４の幅方向に延出されている。
【００２４】
芯材２９は、上下方向に貫通された複数個の段付孔３０が所定間隔をおいて形成されている。そして、芯材２９は、該段付孔３０にボルト３１が下面から挿通されて化粧板２４の裏面（下面）に埋設した雌ネジ３２に取り外し可能に螺合されることにより化粧板２４に取り外し可能に取付け固定されている。雌ネジ３２は、ネジ孔が上下に貫通された樹脂製、或いは金属製のナットにより構成されている。なお、前記雌ネジ３２の埋設位置は、雌ネジ３２の下面が、化粧板２４の下面よりも化粧板２４の内部に位置する。すなわち、雌ネジ３２を埋設するための穴３２ａの深さが雌ネジ３２の軸心方向の厚みよりも深くされていることにより、化粧板２４の下面には、窪み３２ｂを有する。
【００２５】
又、雌ネジ３２の埋設位置は、化粧板２４を裏面を表側に反転した際に、枠材２６に設けられた段付孔３０と相対するように配置されている。すなわち、各雌ネジ３２は、化粧板２４の長手方向及び幅方向の中央線Ｌ１，Ｌ２の、少なくともいずれかの線を中心軸として線対称の位置に設けられている。
【００２６】
前記雌ネジ２８，３２は雌ネジ部に相当する。芯材２９は、ベース板２２の下面から挿通されたボルト３３により、取り外し可能に取付けされている。ボルト３３は、締結手段に相当する。
【００２７】
前述したように、芯材２９が化粧板２４の幅方向に延在して取付けられていることにより、化粧板２４の幅方向における反りが防止されている。又、芯材２９は、枠材２６と同一高さを有している。このように、芯材２９、及び枠材２６とが同一高さとなっていることにより、化粧板２４は、芯材２９及び枠材２６を介してベース板２２に支持される構造となる。なお、ベース板２２の幅方向及び長手方向は、化粧板２４（すなわち、天板２０）の幅方向及び長手方向と一致する。前記ベース板２２、枠材２６、及び芯材２９とは、支持部に相当する。又、枠材２６、及び芯材２９は、ベース板２２と化粧板２４との間に介在する中間部材に相当する。又、ボルト２７、３１は雄ネジに相当する。図２に示すように、芯材２９間、及び芯材２９と枠材２６間には、段ボール製のハニカムコア４０が収納されている。
【００２８】
又、図２に示すように、ベース板２２の側面、枠材２６の外側面、及び化粧板２４の側面を覆うように合成樹脂製又は金属製のエッジ材６０が配置されている。エッジ材６０は、図２に示すように、枠材２６の側面に対して着脱自在に螺合されたネジ６２により取付けされている。ネジ６２の頭部は、エッジ材６０の凹部６４の底部に係止されるとともに、凹部６４に着脱自在に嵌合された蓋材６６により隠されている。
【００２９】
化粧板２４の上部の周縁部は下方へ向かうようにテーパ面２４ａが形成されている。又、図２に示すように、化粧板２４において、下部の周縁部は上方へ向かうようにテーパ面２４ｂが形成されている。このテーパ面２４ｂは、化粧板２４を上下反転した際に、テーパ面２４ａと同一となるように形成されている。エッジ材６０において、テーパ面２４ａと対応する部位は、テーパ面２４ａに密接するように突条６０ａが形成されている。この密接により、突条６０ａとテーパ面２４ａ間から化粧板２４の内部に水等の液体の浸透の防止が図られている。又、ベース板２２の周縁下部は、図２に示すように、段差部２２ａが形成されている。一方、エッジ材６０の下部は、前記段差部２２ａに密接するように水切りエッジ６０ｂが突出されている。
【００３０】
（作用）
さて、上記のように構成された実験台１０の化粧板２４の再利用の方法、すなわち、化粧板２４の組付け方法を説明する。
【００３１】
図２に示す状態において、作業者は蓋材６６及びネジ６２を取外し、次にエッジ材６０を枠材２６から取外し、図３の状態にする。この状態から、さらに作業者は、ボルト２１，３３をベース板２２から取外し、ベース板２２を枠材２６，芯材２９から離脱させる。
【００３２】
この後、作業者は化粧板２４からボルト２７、３１を外して、化粧板２４から枠材２６、芯材２９を取り去る（（図５（ａ）参照））。
次に、作業者は、化粧板２４に対して、雌ネジ２８，３２が埋設されている下面（裏面）部位に対し反対側の面（上面、すなわち表面）に、電動ドリル等により、雌ネジ２８，３２と同軸となるように孔空けを行う（図５（ｂ）参照）。図５（ｂ）において、２４ｄ，２４ｅは、雌ネジ２８，３２と同軸に設けられた孔である。この場合の孔空けは、雌ネジ２８，３２が露出するまでが好ましいが、後に、ボルト２７，３１が破ることのできる厚みを残しても良い。この穿つ孔の径は、ボルト２７，３１が通過可能な孔径でよい。
【００３３】
次に、作業者は、形成した孔２４ｄ，２４ｅを利用して、先に取り去った枠材２６、芯材２９を図５（ｂ）の二点鎖線で示すように化粧板２４の表面に配置し、ボルト２７，３１を段付孔２５，３０に挿通して雌ネジ２８，３２に螺合することにより、枠材２６、芯材２９を化粧板２４の表面に締付け固定する。
【００３４】
上記のように枠材２６、芯材２９が取付けされた化粧板２４を、上下反転して作業者は図６に示すようにベース板２２の上面に載置する。なお、作業者は、化粧板２４をベース板２２の上面に載置するとき、芯材２９間、及び芯材２９と枠材２６間に、ハニカムコア４０を収納する。そして、作業者は、ベース板２２の下面からボルト２１，３３を挿通して、枠材２６、芯材２９をベース板２２に締付け固定する。このボルト２１，３３のベース板２２に対する挿通位置は、化粧板２４を再利用する前と同じ位置である。
【００３５】
この後、作業者は、図６に示すように、化粧板２４の側面、ベース板２２の側面、及び枠材２６の外側面をエッジ材６０で覆った状態でネジ６２によりエッジ材６０を固定する。このエッジ材６０を固定する際、エッジ材６０の突条６０ａが図６に示すように、化粧板２４のテーパ面２４ｂに密接する。この密接により、突条６０ａとテーパ面２４ｂ間から化粧板２４の内部に水等の液体の浸透の防止が図られる。又、図６に示すように、化粧板２４の再利用前においては化粧板２４の裏面（下面）が、再利用時には上面となるため、窪み２８ｂ，３２ｂが表側に露出する。すなわち、この窪み２８ｂ，３２ｂを介して雌ネジ２８、３２が外部に露出することになる。この露出した部位が雌ネジ部の露出部位に相当する。作業者は、この窪み２８ｂ，３２ｂ内には、コーキング材Ｋ（シーリング材ともいう）を充填してコーキングすることにより、窪み部分を無くし、化粧板２４の再利用時に表面（すなわち、再利用前は裏面）側が全体的に面一となるようにする。
【００３６】
さて、本実施形態では下記の特徴がある。
（１）  本実施形態の実験台１０は、化粧板２４と、化粧板２４を支える枠材２６，芯材２９，ベース板２２（支持部）とを備え、化粧板２４が枠材２６，芯材２９，ベース板２２（支持部）から突出された複数のボルト２７，３１（雄ネジ）により、枠材２６，芯材２９，ベース板２２（支持部）に対して取り外し可能に取付けされている。
【００３７】
この結果、本実施形態の実験台１０は、支持部に化粧板を固定する際に接着剤を使用しないですみ、天板を構成する化粧板、支持部が接着剤を使用することなく互いに固定されているため、化粧板を再利用することができ、交換費用、廃棄費用を低減することができる。
【００３８】
（２）  本実施形態の実験台１０は、化粧板２４の裏面に複数の雌ネジ２８，３２（雌ネジ部）が形成され、雌ネジ２８，３２にボルト２７，３１（雄ネジ）がそれぞれ螺合されている。この結果、本実施形態は、化粧板２４の再利用時には、化粧板２４の裏面に埋設された雌ネジ２８，３２（雌ネジ部）を覆っている化粧板２４の表面に孔２４ｄ，２４ｅを形成し、該孔２４ｄ，２４ｅを介して枠材２６，芯材２９，ベース板２２（支持部）から（雄ネジ）を突出させてボルト２７，３１（雄ネジ）を螺合することにより、雌ネジ２８，３２を再利用して化粧板２４を枠材２６，芯材２９，ベース板２２（支持部）に締結することができる。
【００３９】
（３）  本実施形態の実験台１０は、化粧板２４と平行に配置されたベース板２２と、化粧板２４とベース板２２間に介在する枠材２６、及び芯材２９（中間部材）を含み、枠材２６、及び芯材２９からボルト２７，３１（雄ネジ）の先端が突出されて、化粧板２４に螺合されているようにした。
【００４０】
この結果、本実施形態の実験台１０によれば、枠材２６及び芯材２９（中間部材）と、化粧板２４とを締結しているボルト２７，３１（雄ネジ）の化粧板２４に対する締結を解除することにより、化粧板２４を中間部材（支持部）から取外すことができる。そして、取外した化粧板２４の裏面を反転して、該裏面を表にすることにより実験台の化粧板２４を再利用できる。
【００４１】
（４）  本実施形態の実験台１０は、枠材２６及び芯材２９（中間部材）が、ベース板２２に対してボルト２１，３３（締結手段）により取外し可能に取着され、ボルト２７，３１（雄ネジ）が枠材２６及び芯材２９（中間部材）に対して貫通されている。
【００４２】
この結果、本実施形態では、枠材２６及び芯材２９（中間部材）をベース板２２に締結しているボルト２１，３３（締結手段）の締結を解除して、枠材２６及び芯材２９（中間部材）をベース板２２から外した後、枠材２６及び芯材２９（中間部材）と化粧板２４を締結しているボルト２１，３３（雄ネジ）を化粧板２４から外し、化粧板２４の裏面を表にすることにより実験台の化粧板を再利用できる。
【００４３】
（５）  本実施形態の実験台の化粧板の組付け方法は、実験台１０の化粧板２４を、ボルト２１，３３（雄ネジ）の締結を解除することにより枠材２６，芯材２９，ベース板２２（支持部）から取外す。続いて、化粧板２４の雌ネジ２８，３２（雌ネジ部）が設けられた裏面と反対側の表面において、雌ネジ２８，３２（雌ネジ部）が設けられた部位と対応する部分に対して、雌ネジ２８，３２にボルト２１，３３（雄ネジ）が螺入可能に孔２４ｄ，２４ｅを穿つ。そして、化粧板２４を、反転した状態で枠材２６，芯材２９，ベース板２２（支持部）から挿通したボルト２１，３３（雄ネジ）を孔２４ｄ，２４ｅを介して雌ネジ２８，３２（雌ネジ部）に螺合することにより枠材２６，芯材２９，ベース板２２（支持部）に取付けする。この結果、本実施形態の組付け方法は、実験台における化粧板の再利用を簡単に行うことができる。
【００４４】
（６）  本実施形態の実験台の化粧板の組付け方法では、ボルト２１，３３（雄ネジ）の雌ネジ２８，３２（雌ネジ部）に対する締結を解除することにより、化粧板２４を、枠材２６，芯材２９，ベース板２２（支持部）から取外す。そして、化粧板２４の雌ネジ２８，３２（雌ネジ部）が設けられた裏面と反対側の表面において、雌ネジ２８，３２（雌ネジ部）が設けられた部位と対応する部分に対して、雌ネジ２８，３２（雌ネジ部）にボルト２１，３３（雄ネジ）が螺入可能に孔２４ｄ，２４ｅを穿つ。
【００４５】
そして、化粧板２４を、支持部を構成する枠材２６及び芯材２９（中間部材）を介してボルト２１，３３（雄ネジ）を孔２４ｄ，２４ｅを介して雌ネジ２８，３２（雌ネジ部）に螺合することにより、枠材２６及び芯材２９（中間部材）を化粧板に取付けする。この後、枠材２６及び芯材２９（中間部材）を、ベース板２２に対してボルト２１，３３（締結手段）により取付けする。
【００４６】
この結果、本実施形態の化粧板の組付け方法では、支持部が、ベース板２２と、該ベース板２２と化粧板２４の間に介在する中間部材とを含む場合の実験台において、化粧板２４の再利用を簡単に行うことができる。
【００４７】
（７）  本実施形態の実験台の化粧板の組付け方法では、化粧板２４の裏面を反転して枠材２６，芯材２９，ベース板２２（支持部）に組み付けられた化粧板２４に対し、雌ネジ２８，３２（雌ネジ部）の露出部位を覆い隠すためにコーキングを施す。この結果、本実施形態の化粧板の組付け方法によれば、窪み２８ｂ，３２ｂに対してコーキングを施して、該窪み２８ｂ，３２ｂを塞ぐことにより、化粧板２４を反転した後における上側の表面を支障なく実験台の作業面として使用することができる。特に、本実施形態では、窪み２８ｂ，３２ｂ内にコーキング材Ｋを充填するだけでよいため、簡単に、前記露出部位を覆い隠すことができる。
【００４８】
（第２実施形態）
次に、第２実施形態の実験台１０を図７を参照して説明する。なお、本実施形態を含む以下の実施形態では、既に説明した他の実験台１０と同一構成又は相当する構成については同一符号を付して、その説明を省略し、異なる構成を説明する。
【００４９】
本実施形態の実験台１０は、枠材２６の構成が第１実施形態と異なっており、他の構成は同じである。すなわち、図７に示すように、本実施形態では、第１実施形態の枠材を上下方向に２分割した構成としたものである。すなわち、枠材は、化粧板２４に対して取付けされる第１枠材２６Ａと、ベース板２２側に配置される第２枠材２６Ｂからなる。第１枠材２６Ａは、同図に示すように、段付孔２５に下方から挿通されたボルト２７が化粧板２４に埋設された雌ネジ２８に取り外し自在に螺合されることにより、化粧板２４に取付けされている。一方、第２枠材２６Ｂは、ベース板２２に対してボルト２１Ａにより締付け固定されている。又、ボルト２１Ａは、図７に示すように、第１枠材２６Ａと第２枠材２６Ｂとが重なり合った状態で、第１枠材２６Ａに対して取り外し自在に螺入されている。
【００５０】
従って、化粧板２４の再利用時に、ボルト２１Ａの第１枠材２６Ａに対する螺合と、ボルト３３の芯材２９に対する螺合を解除することにより、化粧板２４をベース板２２から取外すことができる。取外した後の化粧板２４に対する孔２４ｄ，２４ｅの形成は、第１実施形態と同様に行われる。そして、孔２４ｄ，２４ｅの形成後、化粧板２４の今まで裏面であった面に対して第１枠材２６Ａ，芯材２９を第１実施形態と同様にボルト２７，３１を貫通して雌ネジ２８，３２に対して螺合することにより、取付けする。
【００５１】
その後、化粧板２４を反転して、第１枠材２６Ａとベース板２２上の第２枠材２６Ｂとを重ね合わせて、ボルト２１Ａにて第１枠材２６Ａをベース板２２に締付け固定するとともに、ボルト３３にて芯材２９をベース板２２に締付け固定する。なお、ハニカムコア４０の収納は、第１実施形態と同様に行うものとする。なお、上記説明では、エッジ材６０の取付け及び取外しの説明は省略したが、化粧板２４のベース板２２からの取り外し、及び取付けの際に、エッジ材６０の取付け取外しは、第１実施形態と同様に行われるものとする。又、コーキングについても第１実施形態と同様に行われるものとする。
【００５２】
第２実施形態では、第１枠材２６Ａ、第２枠材２６Ｂ、及び芯材２９が中間部材に相当する。又、第１枠材２６Ａ、第２枠材２６Ｂ、芯材２９及びベース板２２が支持部に相当する。
【００５３】
第２実施形態の実験台１０、及び実験台の化粧板の組付け方法においても、第１実施形態と（１）〜（７）と同様の効果を奏する。
（第３実施形態）
次に第３実施形態を図８を参照して説明する。
【００５４】
本実施形態では、第１実施形態の実験台１０の構成中、２１，ボルト３３が省略され、その代わりに、図８に示すように、ボルト２７，３１をベース板２２の下面から挿通して、雌ネジ２８，３２に取り外し自在に螺合されているところが第１実施形態と異なっている。第２実施形態の他の構成は、第１実施形態と同一である。
【００５５】
第３実施形態では、ベース板２２の再利用時において、化粧板２４をベース板２２から取外す際には、第１実施形態と同様にエッジ材６０を取り去った後、ボルト２７，３１を化粧板２４から外す。このことにより、化粧板２４をベース板２２から取外すことができる。取外した後の化粧板２４に対する孔２４ｄ，２４ｅの形成は、第１実施形態と同様に行われる。そして、孔２４ｄ，２４ｅの形成後、ベース板２２に、枠材２６，芯材２９及びハニカムコア４０を配置し、孔２４ｄ，２４ｅを設けた面を下面にして化粧板２４を枠材２６，芯材２９上に載置する。この後、ベース板２２の下面からボルト２７，３１を貫通して雌ネジ２８，３２に対して螺合することにより、化粧板２４を取付け固定する。
【００５６】
この後、エッジ材６０の取付けを第１実施形態と同様に行う。なお、又、コーキングについては第１実施形態と同様に行われるものとする。
第３実施形態では、第２実施形態では、枠材２６、及び芯材２９が中間部材に相当する。又、枠材２６、芯材２９及びベース板２２が支持部に相当する。
【００５７】
第３実施形態の実験台１０、及び実験台の化粧板の組付け方法においても、第１実施形態と（１）〜（７）と同様の効果を奏する。
（第４実施形態）
次に、第４実施形態の実験台を図９〜１２を参照して説明する。
【００５８】
第４実施形態では、図９に示すように、第１実施形態の実験台１０の構成中、特に、天板２０の構成において、化粧板２４の裏面に当て板７０が積層されて固定されているところ、及び、雌ネジ２８、及び雌ネジ３２の代わりに、雌ネジ部としての六角支柱７１が化粧板２４の裏面に対して着脱自在に螺合されているところが異なっている。
【００５９】
前記当て板７０の材質は限定されるものではないが、本実施形態では、ベニヤ板から構成されている。当て板７０の大きさは、化粧板２４と同一形状の大きさで形成され、その厚みは限定されるものではなく、化粧板２４の厚みと同一でもよく、或いは、化粧板２４の厚みよりも厚く、或いは薄くしてもよい。当て板７０は、例えば、枠材２６，芯材２９に対してビス止めされているが、ビス止め以外の固定手段にて枠材２６、芯材２９に固定されていてもよい。
【００６０】
前記六角支柱７１は、断面六角形状に形成された本体７１ａと、該本体７１ａの基端から突出した雄ネジ７１ｂを有し、本体の先端面に雌ネジ７１ｃが設けられた構成である。六角支柱７１は、化粧板２４に設けられたネジ穴７２に対して雄ネジ７１ｂにより、着脱自在に螺合されている。
【００６１】
そして、六角支柱７１の雌ネジ７１ｃには、ボルト２７，３１が着脱自在に螺合されている。六角支柱７１の本体７１ａは、その長さが段付孔２５の小径部２５ａの長さよりも短くされていて、その小径部２５ａ内に収納されている。なお、段付孔２５は、小径部２５ａと枠材２６の下面側に形成された大径部２５ｂとにより構成されている。
【００６２】
そして、第１実施形態と同様に枠材２６，芯材２９に形成された段付孔２５に前記ボルト２７，３１が枠材２６，芯材２９の下面から挿通されて、六角支柱７１の雌ネジ７１ｃに取り外し可能に螺合されている。そして、六角支柱７１に螺合されたボルト２７，３１のヘッドが、枠材２６，芯材２９の段付孔２５の段部に係止したワッシャ７３に対してスプリングワッシャ７４を介して押圧されることにより、枠材２６、芯材２９は、当て板７０を介して化粧板２４に着脱自在に取付け固定されている。
【００６３】
第４実施形態の天板２０の他の構成は、第１実施形態と同様であるため、その説明を省略する。
次に、上記の実験台１０の天板２０の製造方法を図１１及び図１２を参照して説明する。
【００６４】
図１１（ａ）に示すように、複数の枠材２６、及び芯材２９により、格子状に枠体１００を形成する。なお、枠体１００の外形形状は、後述する当て板７０、化粧板２４と同じ大きさの外径形状とする。図１１（ｂ）に示すように当て板７０に対しては、枠材２６に形成する各段付孔２５と干渉しない位置にビス止め用の複数のビス孔７０ａをＮＣ旋盤等により形成する。
【００６５】
次に、図１１（ｃ）に示すように、当て板７０の裏面（すなわち、使用時には下面となる面）上にして、その状態で当て板７０の裏面に対して枠体１００の表面（すなわち、使用時には上面となる面）とを重ね、前記ビス孔７０ａを介して、図示しないビスにより、当て板７０を枠体１００に固定し、組立体１０２を形成する。
【００６６】
続いて、当て板７０と枠体１００とが重ねられた状態において、枠体１００の裏面（すなわち、使用時には下面となる面）に対して、ＮＣ旋盤等により、段付孔２５を形成する。すなわち、まず、ＮＣ旋盤等により小径部２５ａを形成する。なお、段付孔２５の配置は、第１実施形態で説明した雌ネジ２８の埋設位置と同様である。
【００６７】
このとき、まず小径部２５ａの形成と同時に小径部２５ａと同径同軸の透孔７０ｂ（図９、１０参照）を当て板７０に貫通形成する。この後、小径部２５ａと同軸でかつ、大径部２５ｂをＮＣ旋盤等により形成することにより、段付孔２５を形成する。
【００６８】
次に、図１１（ｄ）に示すように、化粧板２４の裏面に対して、段付孔２５と相対する位置に複数のネジ穴７２をＮＣ旋盤等により形成する。
次に、図１２（ａ）に示すように、化粧板２４の各ネジ穴７２に対して六角支柱７１を螺合して立設する。この後、図１２（ｂ）に示すように、化粧板２４の裏面に対して、組立体１０２を載せて、図示はしないがハニカムコア４０を組立体１０２の空いている空間に入れた後、ボルト２７，３１、ワッシャ７３、スプリングワッシャ７４により、化粧板２４を組立体１０２に締付け固定する。
【００６９】
次に、図１２（ｃ）に示すように化粧板２４を取付けた組立体１０２の枠体１００に対して、ベース板２２をボルト２１，３３により、取付け固定した後、組立られた天板２０を上下に反転する（図１２（ｄ）参照）。この後、図９に示すように化粧板２４、組立体１０２、ベース板２２の側面に対してネジ６２によりエッジ材６０の取付けを行い、蓋材６６でエッジ材６０の凹部６４内のネジ６２を隠す。
【００７０】
さて、上記のように構成された実験台１０の化粧板２４の再利用の方法、すなわち、再利用のための化粧板２４の組付け方法について説明する。
第１実施形態と同様に、図９の状態から、作業者は蓋材６６及びネジ６２を取外し、次にエッジ材６０を枠材２６から取外す。この状態から、さらに作業者は、ボルト２１，３３をベース板２２から取外す。この後、作業者は六角支柱７１からボルト２７、３１を外して、化粧板２４から枠材２６、芯材２９の組立体１０２を取り去る。次に、作業者は、化粧板２４に対して、ネジ穴７２が形成されている下面（裏面）部位と対応する反対側の面（上面、すなわち表面）の位置に、ネジ穴７２と同径のネジ穴７２ａを形成する。このネジ穴７２ａは、後にサイド螺合される六角支柱７１が螺着できる深さまで形成する。
【００７１】
次に、作業者は、形成した各ネジ穴７２ａに対して、六角支柱７１を螺合する。後は、図１２（ｂ）〜（ｄ）を参照して説明した製造方法と同様にして、天板２０を組立てる。
なお、図１０に示すように、化粧板２４の再利用前においては化粧板２４の裏面（下面）が、再利用時には上面となる。このため、ネジ穴７２が表側に露出する。この露出した部位は雌ネジ部の露出部位に相当する。作業者は、このネジ穴７２内には、コーキング材Ｋ（シーリング材ともいう）を充填してコーキングすることにより、化粧板２４の再利用時に表面（すなわち、再利用前は裏面）側が全体的に面一となるようにする（図１０参照）。
【００７２】
第４実施形態においても、第１実施形態と同様の効果を奏する。
なお、本発明は前記実施形態に限定されるものではなく、前記実施形態の構成を下記のように変更してもよい。
【００７３】
・  前記実施形態では、雌ネジ２８，３２を化粧板２４に埋設した際に、窪み２８ｂ，３２ｂを設けていたが、窪み２８ｂ，３２ｂを省略し、化粧板２４を反転して再利用時に、雌ネジ２８，３２の露出部位を覆い隠すようにコーキングを施すようにしてもよい。
【００７４】
・  第１実施形態では、化粧板２４は幅方向に反りが出やすい場合において、芯材２９を幅方向に延在するようにして化粧板２４の裏面に取付けしたが、化粧板２４が長手方向に反りが出やすい場合には、芯材２９を長手方向に延在するようにして化粧板２４の裏面に取付けしてもよい。
【００７５】
・  第１〜第３実施形態において、化粧板２４に設けた雌ネジ２８，３２の代わりに、タップ孔を形成して、該タップ孔（ネジ穴）を雌ネジ部としてもよい。
・  第２実施形態において、枠材を第１枠材２６Ａと第２枠材２６Ｂとに上下に２分割したのと同様に、芯材２９を上下に２分割し、第１枠材２６Ａと第２枠材２６Ｂの化粧板２４とベース板２２に対して取付けと同様に、２分割した芯材２９をそれぞれ化粧板２４とベース板２２に対して取り外し自在に取付けするようにしてもよい。
【００７６】
・  第４実施形態の化粧板２４の裏面に設けられたネジ穴７２に対して、第１実施形態の窪み２８ｂ，３２ｂに相当する窪みを形成すること。すなわち、ネジ穴７２を段付のネジ穴に形成し、該段部を窪みの部分とすること。このように、第４実施形態において、ネジ穴７２に対して、第１実施形態の窪み２８ｂ，３２ｂに相当する窪みを形成した場合、化粧板２４の再利用時には、その窪み部分は、表側に露出するため、この段付ネジ穴に対してコーキング材Ｋを充填してもよい。
【００７７】
・  第４実施形態では、雌ネジ部として六角支柱７１を使用したが、本体７１ａには断面の外径形状は六角である必要はなく、本体７１ａの一端面に雌ネジ７１ｃを有し、他端に雌ネジ７１ｃと同軸の雄ネジ７１ｂが突出された部材であればよい。
【符号の説明】
【００７８】
１０…実験台、１８…幕板、２０…天板、
２１…ボルト（締結手段）、
２２…ベース板、２４…化粧板、
２６…枠材（中間部材）、２９…芯材（中間部材）、
２７…ボルト（雄ネジ）、２８…雌ネジ（雌ネジ部）、
３１…ボルト（雄ネジ）、３２…雌ネジ（雌ネジ部）
３３…ボルト（締結手段）。
【図１】
2011031118.tif 000003
【図２】
2011031118.tif 000004
【図３】
2011031118.tif 000005
【図４】
2011031118.tif 000006
【図５】
2011031118.tif 000007
【図６】
2011031118.tif 000008
【図７】
2011031118.tif 000009
【図８】
2011031118.tif 000010
【図９】
2011031118.tif 000011
【図１０】
2011031118.tif 000012
【図１１】
2011031118.tif 000013
【図１２】
2011031118.tif 000014